(57)【要約】【課題】参照信号系列を生成する方法、ユーザ端末及び基地局を提供する。【解決手段】本開示の実施例は、参照信号系列を生成する方法、ユーザ端末及び基地局を提供する。本開示実施例によるユーザ端末によって実行される方法は、候補ルートの数を特定することと、候補ルートの数に対応する複数の候補ルートからユーザ端末に用いられるルートを選択することと、選択されたルートに従って参照信号系列を生成することを含む。基地局によって実行される方法は、ユーザ端末が候補ルートの数に従ってユーザ端末に用いられるルートを特定してユーザ端末に用いられるルートに従って参照信号系列を生成するように、参照信号系列の設定情報をユーザ端末に送信することを含む。ここで、該設定情報は、候補ルートの数を含む。【選択図】図１
2019129534.tif 000002
【特許請求の範囲】
【請求項１】
通信システムにおけるユーザ端末によって実行される参照信号系列を生成する方法であって、
候補ルートの数を特定することと、
前記候補ルートの数に対応する複数の候補ルートから前記ユーザ端末に用いられるルートを選択することと、
選択されたルートに従って参照信号系列を生成することと、
を含む方法。
【請求項２】
前記候補ルートの数を特定することは、
基地局から受信された前記候補ルートの数に関する情報に従って、前記候補ルートの数を特定することを含む、
請求項１に記載の方法。
【請求項３】
前記候補ルートの数に対応する複数の候補ルートから前記ユーザ端末に用いられるルートを選択することは、
第１のテーブルから前記ユーザ端末に用いられるルートを選択することを含み、
前記第１のテーブルは、前記候補ルートの数以上の複数のルートを含む、
請求項１又は２に記載の方法。
【請求項４】
前記第１のテーブルに含まれるルートは、初期ルートセットから選択されたものであり、
前記初期ルートセットは、ＺＣ（Ｚａｄｏｆｆ−Ｃｈｕ）系列長に従って特定されたものであり、
前記ＺＣ系列長は、前記通信システムの総帯域幅又は前記通信システムの総帯域幅の一部に従って特定されたものである、
請求項３に記載の方法。
【請求項５】
前記第１のテーブルにおけるルートは、複数の候補ルートペアを構成し、
各候補ルートペアは、第１の候補ルートと第２の候補ルートを含み、
且つ、前記第１の候補ルートと前記第２の候補ルートとの和は、前記ＺＣ系列長に等しい、
前記候補ルートの数に対応する複数の候補ルートから前記ユーザ端末に用いられるルートを選択することは、
前記第１のテーブルに含まれるルートの数が前記候補ルートの数より大きい場合、前記第１のテーブルに含まれるルートの数が前記候補ルートの数に等しくなるまで、前記第１のテーブルにおける候補ルートペアを削除することを含み、
第１のテーブルから前記ユーザ端末に用いられるルートを選択することは、
削除済みの第１のテーブルから前記ユーザ端末に用いられるルートを選択することを含む、
請求項４に記載の方法。
【請求項６】
前記第１のテーブルに含まれるルートは、前記ＺＣ系列長と、絞込回数によって特定される絞込区間とに従って、初期ルートセットから選択されたものである、
請求項４に記載の方法。
【請求項７】
前記第１のテーブルに含まれるルートは、初期ルートセットにおけるルートを絞り込んで取得されたものであり、ここで、絞込の際、
絞込回数を特定し、且つ、前記絞込回数に従って絞込区間を特定し、
前記ＺＣ系列長と前記絞込区間とに従って初期ルートセットにおけるルートを絞り込むことで、第１の絞込結果を取得し、
前記第１の絞込結果に含まれるルートの数が所定の数より大きい場合、絞込回数及び絞込区間を更新し、且つ、前記ＺＣ系列長と、更新後の絞込区間とに従って前記第１の絞込結果を再絞込することで、第２の絞込結果を取得し、
前記第２の絞込結果に含まれるルートの数が所定の数より大きい場合、第１のテーブルに含まれるルートの数と一致する複数のルートを取得するまで、再絞込を繰り返す、
請求項６に記載の方法。
【請求項８】
境界パラメータに従って絞込区間を特定し、
前記境界パラメータは、前記ＺＣ系列長の逆数以上である、
請求項７に記載の方法。
【請求項９】
境界パラメータに従って絞込区間を特定し、
前記境界パラメータは、絞込回数に反比例する、
請求項７に記載の方法。
【請求項１０】
前記絞込回数に従って絞込区間を特定することは、
前記絞込回数に従って第１の絞込変数を特定し、ここで、前記絞込回数が正整数であり、前記第１の絞込変数が前記絞込回数に以下の自然数であることと、
前記絞込回数と前記第１の絞込変数とに従って第２の絞込変数を特定することとを含み、
前記境界パラメータに従って絞込区間を特定することは、
前記第２の絞込変数と前記境界パラメータとに従って絞込区間を特定することを含み、
前記ＺＣ系列長と前記絞込区間とに従って初期ルートセットにおけるルートを絞り込むことで、第１の絞込結果を取得することは、
前記ＺＣ系列長と前記絞込区間とに従って初期ルートセットにおける、前記絞込区間に落ち入るルートを排除することで、第１の絞込結果を取得することを含む、
請求項８又は９に記載の方法。
【請求項１１】
前記第１のテーブルに含まれるルートは、前記通信システムの総帯域幅によって特定された複数のサブ帯域幅と、前記複数のサブ帯域幅について前記初期ルートセットにおける各ルートの最大ピーク平均電力比とに従って、初期ルートセットから選択されたものである、
請求項４に記載の方法。
【請求項１２】
前記第１のテーブルに含まれるルートは、前記初期ルートセットにおける最大ピーク平均電力比が閾値より小さいルートから選択されたものである、
請求項１１に記載の方法。
【請求項１３】
前記第１のテーブルに含まれるルートは、前記初期ルートセットにおいて前記候補ルートの数に対応する、最大ピーク平均電力が最小となるルートから選択されたものである、
請求項１１に記載の方法。
【請求項１４】
通信システムにおける基地局によって実行される参照信号系列を生成する方法であって、
ユーザ端末が候補ルートの数に従ってユーザ端末に用いられるルートを特定して前記ユーザ端末に用いられるルートに従って参照信号系列を生成するように、参照信号系列の設定情報をユーザ端末に送信し、
前記設定情報は、候補ルートの数に関する情報を含む、
方法。
【請求項１５】
前記ユーザ端末のスケジューリングされる帯域幅に従って前記候補ルートの数を特定すること、
を更に含む、
請求項１４に記載の方法。
【請求項１６】
参照信号系列を生成するユーザ端末であって、
候補ルートの数を特定するように配置される特定部と、
前記候補ルートの数に対応する複数の候補ルートから前記ユーザ端末に用いられるルートを選択するように配置される選択部と、
選択されたルートに従って参照信号系列を生成するように配置される生成部と、
を備えるユーザ端末。
【請求項１７】
参照信号系列を生成する基地局であって、
ユーザ端末が候補ルートの数に従ってユーザ端末に用いられるルートを特定して前記ユーザ端末に用いられるルートに従って参照信号系列を生成するように、参照信号系列の設定情報をユーザ端末に送信するように配置される送信部を備え、
前記設定情報は、候補ルートの数に関する情報を含む、
基地局。
【発明の詳細な説明】
【技術分野】
【０００１】
本開示は、移動通信分野に関し、特に、参照信号系列を生成する方法、ユーザ端末及び基地局に関する。
【背景技術】
【０００２】
通信システムでは、通常、ユーザ端末は、基地局が該ユーザ端末の上りチャネルを推定するように、チャネルサウンディング参照信号（ＳＲＳ：Ｓｏｕｎｄｉｎｇ  Ｒｅｆｅｒｅｎｃｅ  Ｓｉｇｎａｌ）を基地局へ送信する。ユーザ端末は、ルート系列の生成に用いられるルートを特定し、その後、該ルートによって生成されたルート系列に従ってＳＲＳ系列を作成し、ＳＲＳ系列に従ってＳＲＳを作成する。
【０００３】
従来技術では、通常、ルートの取り得る範囲内から同じ選択確率で１つのルートを選択し、その後、このルートを、ルート系列の生成に用いられるルートとして使用する。このため、２つのユーザ端末のそれぞれのＳＲＳが直交である場合、又はそれぞれのＳＲＳスケジューリングされる帯域幅が完全に重なる場合には、上記のＳＲＳを生成する方法は、複数のＳＲＳ間に良い相互相関性を持つようにすることで、複数のユーザ端末間の干渉を制御し易くなる。しかし、複数のＳＲＳが周波数領域内において完全に直交するのではない場合、又は複数のＳＲＳのスケジューリングされる帯域幅が完全に重なっていない場合、上記のＳＲＳを生成する方法によって生成されるＳＲＳ間の干渉が大きい。このため、ルート系列とそれに対応するＳＲＳ系列とを生成するためのルートを特定する柔軟な方法が求められている。
【発明の概要】
【０００４】
本開示の１つの方面によれば、通信システムにおけるユーザ端末によって実行される参照信号系列を生成する方法を提供する。該方法は、候補ルートの数を特定することと、候補ルートの数に対応する複数の候補ルートから、ユーザ端末に用いられるルートを選択することと、選択されるルートに従って参照信号系列を生成することと、を含む。
【０００５】
本開示のもう１つの方面によれば、通信システムにおける基地局によって実行される参照信号系列を生成する方法を提供する。該方法は、ユーザ端末が候補ルートの数に従ってユーザ端末に用いられるルートを特定してユーザ端末に用いられるルートに従って参照信号系列を生成するように、参照信号系列の設定情報をユーザ端末に送信することを含み、該設定情報は、候補ルートの数を含むものである。
【０００６】
本開示のもう１つの方面によれば、参照信号系列を生成するユーザ端末を提供する。該ユーザ端末は、候補ルートの数を特定するように配置される特定部と、候補ルートの数に対応する複数の候補ルートからユーザ端末に用いられるルートを選択するように配置される選択部と、選択されたルートに従って参照信号系列を生成するように配置される生成部とを備える。
【０００７】
本開示の１つの例示によれば、特定部は、更に、基地局から受信された候補ルートの数に関する情報に従って候補ルートの数を特定するように配置される。
【０００８】
本開示の１つの例示によれば、選択部は、更に、第１のテーブルからユーザ端末に用いられるルートを選択するように配置され、第１のテーブルは、候補ルートの数以上の複数のルートを含む。
【０００９】
本開示の１つの例示によれば、第１のテーブルに含まれるルートは、初期ルートセットから選択されたものであり、ここで、初期ルートセットは、ＺＣ（Ｚａｄｏｆｆ−Ｃｈｕ）系列長によって特定されるものであり、ＺＣ系列長は、通信システムの総帯域幅又は通信システムの総帯域幅の一部によって特定されるものである。
【００１０】
本開示の１つの例示によれば、第１のテーブルにおけるルートは、複数の候補ルートペアを構成し、各候補ルートペアは、第１の候補ルートと第２の候補ルートを含み、且つ、第１の候補ルートと第２の候補ルートとの和がＺＣ系列長に等しい。選択部は、更に、第１のテーブルに含まれるルートの数が候補ルートの数よりも大きい場合、第１のテーブルに含まれるルートの数が候補ルートの数に等しくなるまで、第１のテーブルにおける候補ルートペアを削除し、削除済みの第１のテーブルから、ユーザ端末に用いられるルートを選択するように配置される。
【００１１】
本開示の１つの例示によれば、第１のテーブルに含まれるルートは、ＺＣ系列長と、絞込回数によって特定される絞込区間とに従って、初期ルートセットから選択されたものである。
【００１２】
本開示の１つの例示によれば、第１のテーブルに含まれるルートは、初期ルートセットにおけるルートに対して絞り込んで得られるものである。ここで、選択部は、更に、絞り込む時に絞込回数を特定し、且つ、絞込回数に従って絞込区間を特定し、ＺＣ系列長と絞込区間とに従って初期ルートセットにおけるルートを絞り込んで第１の絞込結果を取得し、第１の絞込結果に含まれるルートの数が所定の数よりも大きい場合、絞込回数及び絞込区間を更新し、且つ、ＺＣ系列長と、更新後の絞込区間とに従って、第１の絞込結果を再び絞り込んで、第２の絞込結果を取得し、第２の絞込結果に含まれるルートの数が所定の数よりも大きい場合、第１のテーブルに含まれるルートの数と一致する複数のルートを取得するまで、再び絞込みを繰り返すように配置される。
【００１３】
本開示の１つの例示によれば、境界パラメータに従って絞込区間を特定し、境界パラメータは、ＺＣ系列長の逆数以上である。
【００１４】
本開示の１つの例示によれば、境界パラメータに従って絞込区間を特定し、境界パラメータは、絞込回数に反比例する。
【００１５】
本開示の１つの例示によれば、選択部は、更に、絞込回数に従って第１の絞込変数を特定し、ここで、絞込回数が正整数であり、第１の絞込変数が絞込回数以下の自然数であり、また、絞込回数と第１の絞込変数とに従って第２の絞込変数を特定し、第２の絞込変数と境界パラメータとに従って絞込区間を特定し、ＺＣ系列長と絞込区間とに従って、初期ルートセットにおける、絞込区間に落ち入るルートを排除することで、第１の絞込結果を取得するように配置される。
【００１６】
本開示の１つの例示によれば、第１のテーブルに含まれるルートは、通信システムの総帯域幅によって特定される複数のサブ帯域幅と、複数のサブ帯域幅についての初期ルートセットにおける各ルートの最大ピーク平均電力比とに従って、初期ルートセットから選択されたものである。
【００１７】
本開示の１つの例示によれば、第１のテーブルに含まれるルートは、初期ルートセットにおいて最大ピーク平均電力比が閾値より小さいルートから選択されたものである。
【００１８】
本開示の１つの例示によれば、第１のテーブルに含まれるルートは、初期ルートセットにおいて候補ルートの数に対応するルートであって、最大ピーク平均電力が最も小さいルートから選択されたものである。
【００１９】
本開示のもう１つの方面によれば、参照信号系列を生成する基地局を提供する。該基地局は、ユーザ端末が候補ルートの数に従ってユーザ端末に用いられるルートを特定してユーザ端末に用いられるルートに従って参照信号系列を生成するように、参照信号系列の設定情報をユーザ端末に送信するように配置される送信部を備え、ここで、該設定情報は、候補ルートの数を含むものである。
【図面の簡単な説明】
【００２０】
図面を参照しながら本開示の実施例を詳細に説明することで、本開示の上記及び他の目的、特徴、及び長所がより明らかになる。図面は、本開示の実施例に対して更なる理解を提供するためのものであり、明細書の一部を構成する。図面は、本開示の実施例と一緒に、本開示の説明に用いられるが、本開示を限定するわけではない。図面では、同じ参照記号が常に同一の部品やステップを指す。
【００２１】
【図１】本開示の１つの実施例による通信システムにおけるユーザ端末によって実行される参照信号系列を生成する方法のフローチャートである。
【図２】本開示の１つの例示による初期ルートセットにおけるルートを絞り込んで第１のテーブルに含まれるルートを取得する方法を示すフローチャートである。
【図３】本開示のもう１つ例示による初期ルートセットから第１のテーブルに含まれるルートを選択する方法を示すフローチャートである。
【図４】本開示の１つの実施例による通信システムにおける基地局によって実行される参照信号系列を生成する方法を示すフローチャートである。
【図５】本開示の１つの実施例による図１に示す方法を実行するユーザ端末を示す構成模式図である。
【図６】本開示の１つの実施例による図４に示す方法を実行する基地局を示す構成模式図である。
【図７】本開示の実施例に係るユーザ端末又は基地局のハードウェア構成の模式図である。
【発明を実施するための形態】
【００２２】
本開示の目的、技術方案、長所をより明確にするために、以下、図面を参照しながら本開示による例示的な実施例を詳細に説明する。図面では、同じ参照記号は常に同一の要素を表す。なお、ここで説明する実施例は、例示的なものだけに過ぎず、本開示の範囲を限定するものと解釈してはいけない。また、ここで説明するユーザ端末は、様々な種類のユーザ端末（ＵＥ：Ｕｓｅｒ  Ｅｑｕｉｐｍｅｎｔ）を含み、例えば、移動端末（又は、移動局）又は固定端末であっても良い。しかし、説明の便宜上、下記では、ＵＥと移動局を互換的に使用することも可能である。また、基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、送信ポイント、受信ポイント、フェムトセル、スモールセルなどであっても良く、ここで限定はしない。
【００２３】
以下、図１を参照しながら、本開示の実施例による通信システムにおけるユーザ端末によって実行される参照信号系列を生成する方法について説明する。図１は、本開示の１つの実施例による通信システムにおけるユーザ端末によって実行される参照信号系列を生成する方法１００のフローチャートである。図１に示すように、ステップＳ１０１では、ユーザ端末が候補ルートの数を特定する。候補ルートの数は、Ｋで表されても良く、例えば、候補ルートの数が６０である場合、Ｋ＝６０である。なお、本開示による実施例では、「ルート」が「ルート値」であり、「候補ルート」が「候補ルート値」であっても良い。
【００２４】
本開示の１つの例示によれば、ステップＳ１０１において、ユーザ端末は、基地局から受信された、候補ルートの数に関する情報に従って候補ルートの数を特定する。例えば、ユーザ端末は、基地局から、下記ステップＳ１０３での参照信号系列に用いられる設定情報を受信しても良く、該設定情報は、候補ルートの数に関する情報であっても良い。
【００２５】
また、本開示のもう１つの例示によれば、ステップＳ１０１での候補ルートの数は、ユーザ端末のスケジューリングされる帯域幅によって特定されるものであっても良い。ユーザ端末のスケジューリングされる帯域幅は、例えば、ユーザ端末の参照信号（例えば、ＳＲＳ）を伝送するための帯域幅であっても良い。例えば、ユーザ端末のスケジューリングされる帯域幅が大きい場合、大きな候補ルートの数を特定し、ユーザ端末のスケジューリングされる帯域幅が小さい場合、小さな候補ルートの数を特定しても良い。
【００２６】
その後、ステップＳ１０２において、ユーザ端末は、候補ルートの数に対応する複数の候補ルートから、ユーザ端末に用いられるルートを選択する。
【００２７】
本開示の１つの例示によれば、ユーザ端末は、第１のテーブルからユーザ端末に用いられるルートを選択しても良い。ここで、第１のテーブルは、候補ルートの数以上の複数のルートを含むものであっても良い。例えば、第１のテーブルは、予めユーザ端末に記憶されているテーブルであっても良い。ユーザ端末がステップＳ１０１において候補ルートの数を特定した後、ユーザ端末は、ステップＳ１０２において第１のテーブルからユーザ端末に用いられるルートを選択しても良い。
【００２８】
この例示では、第１のテーブルに含まれるルートは、初期ルートセットから選択されたものであっても良い。ここで、初期ルートセットは、例えば、ＺＣ（Ｚａｄｏｆｆ−Ｃｈｕ）系列長に従って特定されるものであっても良い。ＺＣ系列長は、通信システムの総帯域幅又は通信システムの総帯域幅の一部に従って特定されるものであっても良い。本開示における通信システムは、少なくとも上記の基地局と上記のユーザ端末とを含むシステムであることは理解されるであろう。なお、ＺＣ系列長は、ＮＺＣで表しても良い。
【００２９】
例えば、通信システムの総帯域幅又は通信システムの総帯域幅の一部に従って通信システムに必要なＳＲＳ系列長を特定し、その後、通信システムに必要なＳＲＳ系列長に従ってＺＣ系列長を特定しても良い。例えば、特定されたＺＣ系列長は、通信システムに必要なＳＲＳ系列長より小さい最大素数であっても良い。この場合、ＺＣ系列に対して巡回パディングを行うことで、通信システムに必要なＳＲＳ系列長を取得しても良い。また、例えば、特定されたＺＣ系列長は、通信システムに必要なＳＲＳ系列長より大きい最大素数であっても良い。この場合、ＺＣ系列から、通信システムに必要なＳＲＳ系列長と同じ長さを持つ連続的な系列を１つ任意に切り取って、通信システムに必要なＳＲＳ系列長としても良い。
【００３０】
以下、特定されたＺＣ系列長が通信システムに必要なＳＲＳ系列長より大きい最大素数であることを例に、どのようにＺＣ系列長を特定するかについて説明する。例えば、通信システムの総帯域幅とくしの歯（ｃｏｍｂ）とに従って通信システムに必要なＳＲＳ系列長を特定し、更に、ＺＣ系列長を特定しても良い。例えば、通信システムがインターリーブ周波数分割多元接続（ＩＦＤＭＡ：Ｉｎｔｅｒｌｅａｖｅｄ  Ｆｒｅｑｕｅｎｃｙ  Ｄｉｖｉｓｉｏｎ  Ｍｕｌｔｉｐｌｅ  Ａｃｃｅｓｓ）を採用し、通信システムの総帯域幅が２７２ＲＢであり、且つ、各ＲＢが１２個のサブキャリアを含む場合、ＩＦＤＭＡ  ｃｏｍｂ＝２である時、通信システムに必要なＳＲＳ系列長が２７２＊１２／２＝１６３２であると、ＺＣ系列長は、必要なＳＲＳ系列長より大きい最大素数であっても良く、即ち、ＮＺＣ＝１６３７であっても良い。その後、長さ１６３７のＺＣ系列から長さ１６３２の連続的な系列を１つ任意に切り取ってＳＲＳ系列としても良い。また、例えば、通信システムがＩＦＤＭＡを採用し、通信システムの総帯域幅が２７２ＲＢであり、且つ、各ＲＢが１２個のサブキャリアを含む場合に、ＩＦＤＭＡ  ｃｏｍｂ＝４である時、通信システムに必要な系列長が２７２＊１２／４＝８１６であると、ＺＣ系列長は、必要な系列長より大きい最大素数であっても良く、即ち、ＮＺＣ＝８２１であっても良い。その後、長さ８２１のＺＣ系列から長さ８１６の連続的な系列を１つ任意に切り取ってＳＲＳ系列としても良い。
【００３１】
なお、本文に記述される「通信システムの総帯域幅」は、通信システムの実際の総帯域幅に従って特定されるものであっても良い。通信システムの実際の総帯域幅に含まれるＲＢの数が４の整数倍である場合、本文に記述される「通信システムの総帯域幅」は、通信システムの実際の総帯域幅に等しくても良い。通信システムの実際の総帯域幅に含まれるＲＢの数が４の整数倍ではない場合、通信システムの実際の総帯域幅を丸めるという方式で、本文に記述される「通信システムの総帯域幅」を特定しても良い。例えば、通信システムの実際の総帯域幅は、２７３個のＲＢであるが、ＳＲＳが伝送される周波数領域スケジューリング粒度は４つのＲＢであり、このため、「４」に基づいて通信システムの実際の総帯域幅を切り捨て、そして、本文に記述される「通信システムの総帯域幅」が２７２個のＲＢであることを特定する。
【００３２】
通信システムの総帯域幅又は通信システムの総帯域幅の一部が変わる場合、それに応じてＺＣ系列長も変わることは理解されるであろう。つまり、通信システムの異なる総帯域幅は、異なるＺＣ系列長に対応することができ、そして、通信システムの総帯域幅の異なる部分は、異なるＺＣ系列長に対応することもできる。
【００３３】
ＺＣ系列長が特定された後、ＺＣ系列長に従って初期ルートセットを特定しても良い。例えば、初期ルートセットは、（ＮＺＣ−１）個のルートを含み、それぞれがｑ１、ｑ２、……ｑｉ、……、ｑ（ＮＺＣ−１）と表し、ここで、１≦ｉ≦（ＮＺＣ−１）であって、ｉが正整数であり、且つ、これらの（ＮＺＣ−１）個のルートは、１から（ＮＺＣ−１）までインクリメントし、即ち、初期ルートセットは、［１，２，３，……，（ＮＺＣ−１）］と表しても良い。その後、第１のテーブルに含まれるルートは、該初期ルートセット［１，２，３，……，（ＮＺＣ−１）］から選択されたものであっても良い。例えば、該初期ルートセット［１，２，３，……，（ＮＺＣ−１）］から所定の数の複数のルートを選択し、且つ、該所定の数は、第１のテーブルに含まれるルートの数に等しくても良い。
【００３４】
本開示の１つの例示によれば、第１のテーブルに含まれるルートは、ＺＣ系列長と、絞込回数によって特定される絞込区間とに従って、初期ルートセットから選択されたものであっても良い。例えば、第１のテーブルに含まれるルートは、初期ルートセットにおけるルートを絞り込んで得られるものであっても良い。以下、図２を参照しながら、絞込手順の１つの例示について説明する。
【００３５】
図２は、本開示の１つの例示による初期ルートセットにおけるルートを絞り込んで第１のテーブルに含まれるルートを取得する方法２００のフローチャートを示している。図２に示すように、ステップＳ２０１において、絞込回数を特定し、且つ、絞込回数に従って絞込区間を特定する。例えば、絞込回数は、正整数であっても良く、且つ、Ｎで表されても良く、初回絞込の際、絞込回数が１であると特定し、即ち、Ｎ＝１であると特定しても良い。
【００３６】
本開示の１つの例示によれば、ステップＳ２０１において、更に、絞込回数に従って第１の絞込変数を特定しても良い。ここで、該第１の絞込変数は、絞込回数以下の自然数である。例えば、第１の絞込変数は、Ｍで表しても良く、この場合、Ｍ≦Ｎであり、且つ、Ｍが自然数である。また、ステップＳ２０１において、更に、絞込回数と第１の絞込変数とに従って第２の絞込変数を特定しても良い。第２の絞込変数は、例えば、第１の絞込変数と絞込回数との比率であっても良く、例えば、Ｍ／Ｎであっても良い。
【００３７】
本開示のもう１つの例示によれば、ステップＳ２０１において、更に、境界パラメータに従って絞込区間を特定しても良い。例えば、境界パラメータは、εで表しても良い。なお、εは、ＺＣ系列長の逆数以上であっても良く、即ち、ε≧１／ＮＺＣであっても良い。
【００３８】
また、εは、絞込回数に反比例しても良く、例えば、εと絞込回数とは、次の式（１）又は（２）を満たしても良い。
2019129534.tif 000003
【００３９】
本開示のもう１つの例示によれば、ステップＳ２０１において、更に、第２の絞込変数と境界パラメータとに従って絞込区間を特定しても良い。例えば、特定された絞込区間は、［（Ｍ／Ｎ−ε），（Ｍ／Ｎ＋ε）］である。ステップＳ２０１において、Ｎ＝１である時、Ｍ＝０又は１であり、特定された絞込区間は、[−ε，＋ε]と[（１−ε），（１＋ε）]との２つの区間をそれぞれ含んでも良いことは理解されるであろう。
【００４０】
その後、ステップＳ２０２において、ＺＣ系列長と絞込区間とに従って、初期ルートセットにおけるルートを絞り込むことで、第１の絞込結果を取得する。例えば、ＺＣ系列長と絞込区間とに従って、初期ルートセットにおける絞込区間に落ち入るルートを排除することで、第１の絞込結果を取得しても良い。例えば、初期ルートセットにおけるルートｑｉについては、ＺＣ系列長に従って、対応する絞込パラメータｑｉ／ＮＺＣを計算し、その後、初期ルートセットにおける各ルートの絞込パラメータと絞込区間に従って、初期ルートセットにおけるルートを絞り込んでも良い。例えば、ステップＳ２０１で特定された絞込区間が[−ε，＋ε]と[（１−ε），（１＋ε）]を含む場合、ステップＳ２０２において、絞込パラメータｑｉ／ＮＺＣが絞込区間[−ε，＋ε]、[（１−ε），（１＋ε）]に落ち入るルートｑｉを排除し、残りのルートを第１の絞込結果とする。
【００４１】
ステップＳ２０２の後、方法２００は、更に、ステップＳ２０３を含んでも良い。ステップＳ２０３において、第１の絞込結果に含まれるルートの数が所定の数より大きい場合、絞込回数及び絞込区間を更新し、且つ、ＺＣ系列長と、更新後の絞込区間とに従って、第１の絞込結果を再び絞り込むことで、第２の絞込結果を取得する。例えば、ステップＳ２０３において、第１の絞込結果に含まれるルートの数が所定の数より大きい場合、ＺＣ系列長と、更新後の絞込区間とに従って、第１の絞込結果における更新後の絞込区間に落ち入るルートを排除することで、第２の絞込結果を取得しても良い。
【００４２】
ステップＳ２０３の後、方法２００は、更に、ステップＳ２０４を含んでも良い。ステップＳ２０４において、第２の絞込結果に含まれるルートの数が所定の数より大きい場合は、第１のテーブルに含まれるルートの数と一致する複数のルートを取得するまで、再び絞込を繰り返しても良い。例えば、ステップＳ２０４において、第２の絞込結果に含まれるルートの数が所定の数より大きい場合は、絞込回数及び絞込区間を更新する動作を繰り返しても良い。その後、第１のテーブルに含まれるルートの数と一致する複数のルートを取得するまで、ＺＣ系列長と最新の絞込区間とに従って、前回の絞込結果における最新の絞込区間に落ち入るルートを繰り返して排除しても良い。
【００４３】
上記のステップＳ２０３とＳ２０４に記述される絞込手順において、絞込回数の更新は、絞込回数に１だけ加算しても良い。例えば、ステップＳ２０１において、絞込回数Ｎ＝１であり、これに応じて、第１の絞込変数Ｍ＝０又は１であり、第２の絞込変数Ｍ／Ｎ＝０又は１であり、そして、絞込区間が[−ε，＋ε]、[（１−ε），（１＋ε）]となる。その後、ステップＳ２０３において、更新後の絞込回数Ｎ＝２となり、これに応じて、更新後の第１の絞込変数Ｍ＝０、１又は２となり、更新後の第２の絞込変数Ｍ／Ｎ＝０、１／２、又は１となり、そして、更新後の絞込区間が[−ε，＋ε]、[（１／２−ε），（１／２＋ε）]、[（１−ε），（１＋ε）]となる。その後、ステップＳ２０４において、更新後の絞込回数Ｎ＝３であり、これに応じて、更新後の第１の絞込変数Ｍ＝０、１、２又は３となり、更新後の第２の絞込変数Ｍ／Ｎ＝０、１／３、２／３、又は１となり、そして、更新後の絞込区間が[−ε，＋ε]、[（１／３−ε），（１／３＋ε）]、[（２／３−ε），（２／３＋ε）]、[（１−ε），（１＋ε）]となる。
【００４４】
以下、上記の絞込回数の更新を参照しながら、ステップＳ２０１〜Ｓ２０４の１つの具体的な例を示す。例えば、ステップＳ２０１において、Ｎ＝１であり、Ｍ＝０又は１であり、特定された絞込区間が[−ε，＋ε]と[（１−ε），（１＋ε）]との２つの区間をそれぞれ含む。その後、ステップＳ２０２において、初期ルートセットにおけるか各ルートの絞込パラメータと絞込区間[−ε，＋ε]、[（１−ε），（１＋ε）]とに従って、初期ルートセット［１，２，３，……，（ＮＺＣ−１）］におけるルートを絞り込んで、第１の絞込結果を取得した。その後、ステップＳ２０３において、ステップＳ２０２で取得された第１の絞込結果に含まれるルートの数が所定の数よりも大きい場合、絞込回数を更新し、即ち、Ｎ＝２となり、これに応じて、Ｍ＝０、１又は２となると、更新後の絞込区間は、[−ε，＋ε]、[（１／２−ε），（１／２＋ε）]、[（１−ε），（１＋ε）]を含んでも良い。その後、第１の絞込結果における各ルートの絞込パラメータと、絞込区間[−ε，＋ε]、[（１／２−ε），（１／２＋ε）]、[（１−ε），（１＋ε）]とに従って、第１の絞込結果を絞り込むことで、第２の絞込結果を取得する。その後、ステップＳ２０４において、ステップＳ２０３で取得される第２の絞込結果に含まれるルートの数が所定の数よりも大きい場合、絞込回数を更新し、即ち、Ｎ＝３となり、これに応じて、Ｍ＝０、１、２又は３となると、更新後の絞込区間は、[−ε，＋ε]と、[（１／３−ε），（１／３＋ε）]、[（２／３−ε），（２／３＋ε）]と、[（１−ε），（１＋ε）]とを含んでも良い。その後、第２の絞込結果における各ルートの絞込パラメータと、絞込区間[−ε，＋ε]、[（１／３−ε），（１／３＋ε）]、[（２／３−ε），（２／３＋ε）]、[（１−ε），（１＋ε）]とに従って第２の絞込結果を絞り込むことで、第３の絞込結果を取得する。第１のテーブルに含まれるルートの数と一致する複数のルートを取得するまで、上記の判定、更新、及び絞込の動作を繰り返す。
【００４５】
上記したように、第１のテーブルに含まれるルートは、ＺＣ系列長と、絞込回数によって特定された絞込区間とに従って、初期ルートセットから選択されたものであっても良い。本開示のもう１つの例示によれば、第１のテーブルに含まれるルートは、初期ルートセットにおける各ルートの電力パラメータに従って、初期ルートセットから選択されたものであっても良い。電力パラメータは、例えば、ピーク対平均電力比（ＰＡＰＲ：Ｐｅａｋ  ｔｏ  Ａｖｅｒａｇｅ  Ｐｏｗｅｒ  Ｒａｔｉｏ）であっても良い。様々な方式を用いてＰＡＰＲを取得でき、例えば、キュービックメトリック（ＣＭ：Ｃｕｂｉｃ  Ｍｅｔｒｉｃ）でＰＡＰＲを表しても良い。
【００４６】
図３は、本開示の実施例のもう１つの例示による初期ルートセットから第１のテーブルに含まれるルートを選択する方法３００のフローチャートを示している。図３に示す例示では、第１のテーブルに含まれるルートは、通信システムの総帯域幅によって特定される複数のサブ帯域幅と、複数のサブ帯域幅について初期ルートセットにおける各ルートの最大ＰＡＰＲとに従って、初期ルートセットから選択されるものであっても良い。
【００４７】
具体的には、図３に示すように、ステップＳ３０１において、通信システムの総帯域幅に従って、複数のサブ帯域幅を特定する。例えば、サブ帯域幅は、ユーザ端末のＳＲＳを伝送するための帯域幅であっても良い。例えば、通信システムの総帯域幅が２７２ＲＢである場合、ユーザ端末のＳＲＳを伝送するための帯域幅は、４ＲＢ、８ＲＢ、１２ＲＢ、……、２７２ＲＢであっても良く、そうすると、複数のサブ帯域幅は、４ＲＢ、８ＲＢ、１２ＲＢ、……、２７２ＲＢの複数の帯域幅であっても良い。
【００４８】
その後、ステップＳ３０２において、ステップＳ３０１で特定された複数のサブ帯域幅について、初期ルートセットにおける各ルートの最大ＣＭを計算する。
【００４９】
例えば、ステップＳ３０２において、初期ルートセットにおけるルートｑｉについて、複数のサブ帯域幅に対応する複数のＣＭをそれぞれ計算し、その後、複数のＣＭから最大のＣＭを各ルートの最大ＣＭとして選択する。次の式（３）のように表す。
2019129534.tif 000004
【００５０】
その後、ステップＳ３０３において、初期ルートセットにおける最大ＣＭが閾値よりも小さいルートから、第１のテーブルに含まれるルートを選択する。例えば、候補ルートの数に従って、ステップＳ３０３での閾値を予め特定し、その後、ステップＳ３０３において、ステップＳ３０２で計算された最大ＣＭが閾値よりも小さいルートを、第１のテーブルに含まれるルートとして保持しても良い。
【００５１】
代わりに、ステップＳ３０２の後、方法３００は、更に、ステップＳ３０３’を含んでも良い。ステップＳ３０３’において、初期ルートセットのうち候補ルートの数に対応する、最大ＣＭが最小となるルートから、第１のテーブルに含まれるルートを選択する。例えば、ステップＳ３０３’において、ステップＳ３０２で計算された各ルートの最大ＣＭを小さい順に順位付け、その後、先頭のＫ個のルートを第１のテーブルに含まれるルートとして保持しても良い。
【００５２】
ここまで、初期ルートセットから第１のテーブルに含まれるルートを選択する手順を説明していた。なお、上記でも記載したように、第１のテーブルは、候補ルートの数以上の複数のルートを含んでも良い。
【００５３】
本開示の１つの例示によれば、第１のテーブルに含まれるルートの数が候補ルートの数に等しい場合、ステップＳ１０２において、ユーザ端末は、第１のテーブルから１つのルートを選択しても良い。
【００５４】
本開示のもう１つの例示によれば、第１のテーブルに含まれるルートの数が候補ルートの数よりも大きい場合、ステップＳ１０２において、ユーザ端末は、先ず、第１のテーブルに含まれるルートの数が候補ルートの数に等しくなるまで、第１のテーブルにおけるルートを削除し、その後、削除済みの第１のテーブルから１つのルートを選択しても良い。
【００５５】
例えば、第１のテーブルにおけるルートは、複数の候補ルートペアを構成し、各候補ルートペアが第１の候補ルートと第２の候補ルートとを含み、且つ、第１の候補ルートと第２の候補ルートとの和がＺＣ系列長に等しくても良い。例えば、第１の候補ルートがｑｉであり、第２の个候補ルートが（ＮＺＣ−ｑｉ）であっても良い。初期ルートセットが［１，２，３，……，（ＮＺＣ−１）］である場合は、第１の候補ルートが１であれば第２の候補ルートが（ＮＺＣ−１）であり、又は、第１の候補ルートが２であれば第２の候補ルートが（ＮＺＣ−２）であることは理解されるであろう。これをもとにして類推することができる。
【００５６】
その後、第１のテーブルに含まれるルートの数が候補ルートの数よりも大きい場合、ユーザ端末は、第１のテーブルに含まれるルートの数が候補ルートの数に等しくなるまで、第１のテーブルにおける候補ルートペアを削除し、その後、削除済みの第１のテーブルからユーザ端末に用いられるルートを選択しても良い。例えば、第１のテーブルに含まれるルートの数が６６であるが、候補ルートの数Ｋ＝６０であれば、ユーザ端末は、第１のテーブルにおける３つの候補ルートペアを任意に削除することで、６０個の候補ルートを取得し、その後、この６０個の候補ルートからユーザ端末に用いられるルートを選択しても良い。なお、削除済みの第１のテーブルは、第２のテーブルとしてユーザ端末に記憶されても良い。
【００５７】
また、第１のテーブルは、更に、各ルートのインデックスを含んでも良い。それに、第１のテーブルに含まれるルートが小さい順に順位付けられる場合、各ルートに対応するインデックスも小さい順に順位付けられる。
【００５８】
また、上記したように、初期ルートセットから複数のルートを選択して第１のテーブルを生成しても良い。本開示の１つの例示によれば、通信システムで採用される変調方式と変調方式に対応するくしの歯（Ｃｏｍｂ）とに従って、初期ルートセットから複数のルートを選択して第１のテーブルを生成しても良い。例えば、通信システムで採用されるくしの歯（Ｃｏｍｂ）が小さい場合、初期ルートセットから選択されるルートの数を大きくして第１のテーブルに含まれるルートが多くなるようにする。通信システムで採用されるくしの歯（Ｃｏｍｂ）が大きい場合、初期ルートセットから選択されるルートの数を小さくして第１のテーブルに含まれるルートが少なくなるようにする。
【００５９】
以下、通信システムでＩＦＤＭＡが採用され、通信システムの総帯域幅が２７２ＲＢであり、且つ、各ＲＢが１２個のサブキャリアを含む場合に、ＩＦＤＭＡ  ｃｏｍｂ＝２であって、Ｋ＝６０である時、上記図２に示す方法２００によって取得される第１のテーブルの１つの例示をテーブル１に示す。表１に示す第１のテーブルは、小さい順に並んでいる６６個のルートを含み、且つ、該６６個のルートのインデックスが０〜６５である。
2019129534.tif 000005
2019129534.tif 000006
【００６０】
表１に示す第１のテーブルに含まれるルートの数が６０より大きいので、ステップＳ１０２において、ユーザ端末は、該第１のテーブルにおける３ペアの候補ルートペアを削除することで、６０個の候補ルートを取得しても良い。例えば、ユーザ端末は、該第１のテーブルにおける先頭の３つの候補ルート及び後ろの３つの候補ルートを削除することで、６０個の候補ルートを取得しても良い。表２に示すように、この６０個の候補ルートは、第２のテーブルを形成し、且つ、第２のテーブルにおいて、この６０個の候補ルートが新たなインデックス、即ちインデックス０〜５９を有しても良い。その後、ユーザ端末は、該第２のテーブルから該ユーザ端末に用いられるルートを選択しても良い。
2019129534.tif 000007
2019129534.tif 000008
【００６１】
以下、通信システムでＩＦＤＭＡが採用され、通信システムの総帯域幅が２７２ＲＢであり、且つ、各ＲＢが１２個のサブキャリアを含む場合に、ＩＦＤＭＡ  ｃｏｍｂ＝４であってＫ＝６０である時、上記図２に示す方法２００に従って取得される第１のテーブルのもう１つの例示を表３に示す。表３に示す第１のテーブルは、小さい順に並んでいる６４個のルートを含み、且つ、該６４個のルートのインデックスが０〜６３である。
2019129534.tif 000009
2019129534.tif 000010
【００６２】
表３に示す第１のテーブルに含まれるルートの数が６０より大きいので、ステップＳ１０２において、ユーザ端末は、該第１のテーブルにおける２ペアの候補ルートペアを削除することで、６０個の候補ルートを取得しても良い。例えば、ユーザ端末は、該第１のテーブルにおける先頭の２つのルート及び後ろの２つのルートを削除することで、６０個の候補ルートを取得しても良い。表４に示すように、この６０個の候補ルートは、第２のテーブルを形成し、且つ、第２のテーブルにおいてこの６０個の候補ルートが新たなインデックス、即ちインデックスの０〜５９を有しても良い。その後、ユーザ端末は、該第２のテーブルから、該ユーザ端末に用いられるルートを選択しても良い。
2019129534.tif 000011
2019129534.tif 000012
【００６３】
以下、通信システムでＩＦＤＭＡが採用され、通信システムの総帯域幅が２７２ＲＢであり、且つ、各ＲＢが１２個のサブキャリアを含む場合に、ＩＦＤＭＡ  ｃｏｍｂ＝２であってＫ＝６０である時、上記図３に示す方法３００に従って取得される第１のテーブルの１つの例示を表５に示す。表５に示す第１のテーブルは、小さい順に並んでいる６０個のルートを含み、且つ、該６０個のルートのインデックスが０〜５９である。
2019129534.tif 000013
2019129534.tif 000014
【００６４】
以下、通信システムでＩＦＤＭＡが採用され、通信システムの総帯域幅が２７２ＲＢであり、且つ、各ＲＢが１２個のサブキャリアを含む場合に、ＩＦＤＭＡ  ｃｏｍｂ＝４であってＫ＝６０である時、上記図３に示す方法３００に従って取得される第１のテーブルのもう１つの例示を表６に示す。表６に示す第１のテーブルは、小さい順に並んでいる６０個のルートを含み、且つ、該６０個のルートのインデックスが０〜５９である。
2019129534.tif 000015
2019129534.tif 000016
【００６５】
また、上記したように、ステップＳ１０２において、ユーザ端末は、第１のテーブルから該ユーザ端末に用いられるルートを選択しても良い。例えば、ステップＳ１０２の前に、ユーザ端末が基地局から受信できる設定情報は、候補ルートの数に関する情報を含むだけではなく、参照信号系列を伝送するためのポート数、帯域幅、ホップ数、プリコーディングポリシーなどを更に含んでも良い。その後、ステップＳ１０２において、ユーザ端末は、受信される設定情報に従って、該ユーザ端末に用いられるインデックスを計算し、その後、計算されたインデックスと同じであって第１のテーブルにおけるインデックスに対応するルートを、該ユーザ端末に用いられるルートとする。
【００６６】
また、上記したように、通信システムの総帯域幅又は通信システムの総帯域幅の一部が変わる場合、ＺＣ系列長もこれに応じて変わっても良い。このため、通信システムの異なる総帯域幅は、異なる第１のテーブルに対応しても良く、そして、通信システムの総帯域幅の異なる部分は、異なる第１のテーブルに対応しても良いことは理解されるであろう。このため、ユーザ端末には、複数の第１のテーブルが記憶されても良い。その後、ユーザ端末は、どの第１のテーブルから該ユーザ端末に用いられるルートを選択するかについて、実用に応じて特定しても良い。
【００６７】
また、ユーザ端末は、第１のテーブルを記憶することなく、図２に示す方法２００又は図３に示す方法３００を直接採用して初期ルートセットにおけるルートを絞り込んで候補ルートの数に対応する複数の候補ルートを取得し、その後、該複数の候補ルートからユーザ端末に用いられるルートを選択しても良いことは理解されるであろう。
【００６８】
その後、ステップＳ１０３において、ユーザ端末は、ステップＳ１０２で選択されたルートに従って参照信号系列を生成する。ルートから参照信号系列を生成する手順は、従来技術を採用して実現しても良い。例えば、ユーザ端末は、先ず、ステップＳ１０２で選択されたルートに従ってルート系列を生成し、その後、ルート系列に従って、ＳＲＳ系列などの参照信号系列を生成する。
【００６９】
本実施例の通信システムにおけるユーザ端末によって実行される、参照信号系列を生成する方法によれば、直接大きな範囲の候補ルートからユーザ端末に用いられるルートを選択することではなく、比較的小さな範囲の候補ルートを特定して、その中からユーザ端末に適用するルートを選択で、ユーザ端末に用いられるルートを柔軟に特定することができる。
【００７０】
以下、図４を参照しながら、方法１００に対応する通信システムにおける基地局によって実行される、参照信号系列を生成する方法について説明する。図４は、本開示の１つの実施例による通信システムにおける基地局によって実行される、参照信号系列を生成する方法４００のフローチャートを示している。
【００７１】
図４に示すように、ステップＳ４０１において、基地局は、ユーザ端末が候補ルートの数に従ってユーザ端末に用いられるルートを特定してユーザ端末に用いられるルートに従って参照信号系列を生成するように、参照信号系列の設定情報をユーザ端末に送信する。ここで、該設定情報は、候補ルートの数に関する情報を含む。
【００７２】
本開示の１つの例示によれば、設定情報は、候補ルートの数に関する情報以外、参照信号系列を伝送するポート数、帯域幅、ホップ数、プリコーディングポリシーなどを更に含んでも良い。
【００７３】
ステップＳ４０１の前、方法４００は、更に、ステップＳ４０１’を含んでも良い。ステップＳ４０１’において、基地局は、ユーザ端末のスケジューリングされる帯域幅に従って候補ルートの数を特定しても良い。ユーザ端末のスケジューリングされる帯域幅は、例えば、ユーザ端末の参照信号（例えば、ＳＲＳ）を伝送するための帯域幅であっても良い。例えば、ユーザ端末のスケジューリングされる帯域幅が大きい場合、基地局は、ユーザ端末のために、大きな候補ルートの数を特定しても良い。一方、ユーザ端末のスケジューリングされる帯域幅が小さい場合、基地局は、ユーザ端末のために、小さな候補ルートの数を特定しても良い。
【００７４】
本開示の１つの例示によれば、基地局は、初期ルートセットから第１のテーブルに含まれるルートを選択して第１のテーブルを記憶するという動作を実行しても良い。これは、初期ルートセットから第１のテーブルに含まれるルートを選択して第１のテーブルを記憶するという動作をユーザ端末によって実行する場合と類似しており、ここでその説明を省略する。
【００７５】
本開示の一例示によれば、基地局は、第１のテーブルを記憶することなく、図２に示す方法２００又は図３に示す方法３００を直接採用して初期ルートセットにおけるルートを絞り込むことで候補ルートの数に対応する複数の候補ルートを取得し、その後、該複数の候補ルートからユーザ端末に用いられるルートを選択し、且つ、選択されたルートをユーザ端末に通知しても良い。
【００７６】
本実施例の通信システムにおける基地局によって実行される参照信号系列を生成する方法によれば、直接大きな範囲の候補ルートからユーザ端末に用いられるルートを選択することではなく、比較的小さな範囲の候補ルートを特定してその中からユーザ端末に適用するルートを選択することで、ユーザ端末に用いられるルートを柔軟に特定することができる。
【００７７】
以下、図５を参照しながら、本開示の１つの実施例による図１に示す方法１００を実行するユーザ端末５００について説明する。図５は、本開示の１つの実施例による図１に示す方法１００を実行するユーザ端末５００の構成模式図を示す。ユーザ端末５００の機能は、上記で図１−図３を参照しながら説明した方法の詳細と同様であるため、ここで、説明の便宜上、同様の内容についての詳しい説明を省略する。
【００７８】
図５に示すように、ユーザ端末５００は、候補ルートの数を特定するように配置される特定部５１０と、前記候補ルートの数に対応する複数の候補ルートから前記ユーザ端末に用いられるルートを選択するように配置される選択部５２０と、選択されるルートに従って参照信号系列を生成するように配置される生成部５３０とを備える。この３つの部品以外、ユーザ端末５００は、更に、他の部品を備えても良い。しかし、これらの部品は、本開示の実施例の内容に関係がないため、ここでは、その図示及び説明を省略する。
【００７９】
本開示の１つの例示によれば、特定部５１０は、基地局から受信される候補ルートの数に関する情報に従って候補ルートの数を特定するように配置されても良い。例えば、ユーザ端末は、下記の生成部５３０によって生成される参照信号系列のための設定情報を基地局から受信しても良く、該設定情報は、候補ルートの数に関する情報を含んでも良い。
【００８０】
本開示の１つの例示によれば、選択部５２０は、第１のテーブルからユーザ端末に用いられるルートを選択しても良い。ここで、第１のテーブルは、候補ルートの数以上の複数のルートを含む。例えば、第１のテーブルは、ユーザ端末に予め記憶されているテーブルであっても良い。特定部５１０が候補ルートの数を特定した後、選択部５２０は、第１のテーブルからユーザ端末に用いられるルートを選択しても良い。
【００８１】
該例示では、第１のテーブルに含まれるルートは、初期ルートセットから選択されたものであり、ここで、初期ルートセットは、例えば、ＺＣ（Ｚａｄｏｆｆ−Ｃｈｕ）系列長に従って特定されるものであり、ＺＣ系列長は、通信システムの総帯域幅又は通信システムの総帯域幅的一部に従って特定されるものであっても良い。分かるように、本開示の通信システムは、少なくとも上記基地局と上記ユーザ端末とを含むシステムである。なお、ＺＣ系列長は、ＮＺＣで表しても良い。
【００８２】
ＺＣ系列長を特定した後に、ＺＣ系列長に従って初期ルートセットを特定しても良い。例えば、初期ルートセットは、（ＮＺＣ−１）個のルートを含み、それぞれがｑ１、ｑ２、……ｑｉ、……、ｑ（ＮＺＣ−１）と表し、ここで、１≦ｉ≦（ＮＺＣ−１）であり、且つ、ｉが正整数である。且つ、この（ＮＺＣ−１）個のルートは、１から（ＮＺＣ−１）までインクリメントし、即ち、初期ルートセットは、［１，２，３，……，（ＮＺＣ−１）］と表しても良い。その後、第１のテーブルに含まれるルートは、該初期ルートセット［１，２，３，……，（ＮＺＣ−１）］から選択されたものであっても良い。例えば、該初期ルートセット［１，２，３，……，（ＮＺＣ−１）］から所定の数の複数のルートを選択し、且つ、該所定の数は、第１のテーブルに含まれるルートの数に等しくても良い。
【００８３】
本開示の１つの例示によれば、第１のテーブルに含まれるルートは、ＺＣ系列長と、絞込回数によって特定される絞込区間とに従って、初期ルートセットから選択されたものであっても良い。例えば、第１のテーブルに含まれるルートは、初期ルートセットにおけるルートを絞り込んで取得されるものであっても良い。例えば、選択部５２０は、絞込回数を特定し、且つ、絞込回数に従って絞込区間を特定しても良い。例えば、絞込回数は、正整数であっても良く、Ｎで表しても良い。且つ、初回絞込の際に、絞込回数が１であると特定し、即ち、Ｎ＝１であると特定しても良い。
【００８４】
本開示の１つの例示によれば、選択部５２０は、更に、絞込回数に従って第１の絞込変数を特定しても良い。ここで、該第１の絞込変数は、絞込回数以下の自然数である。例えば、第１の絞込変数は、Ｍで表しても良く、そうすると、Ｍ≦Ｎであり、且つ、Ｍが自然数である。また、選択部５２０は、更に、絞込回数と第１の絞込変数とに従って第２の絞込変数を特定しても良い。第２の絞込変数は、例えば、第１の絞込変数と絞込回数との比率であっても良い。例えば、Ｍ／Ｎであっても良い。
【００８５】
本開示のもう１つの例示によれば、選択部５２０は、更に、境界パラメータに従って絞込区間を特定しても良い。例えば、境界パラメータは、εで表しても良い。なお、εは、ＺＣ系列長の逆数より大きいか又は等しくても良い。即ち、ε≧１／Ｎｚｃであっても良い。
【００８６】
また、εは、絞込回数に反比例しても良い。例えば、εと絞込回数とは、上記の式（１）又は（２）を満たしても良い。
【００８７】
本開示のもう１つの例示によれば、選択部５２０は、更に、第２の絞込変数と境界パラメータとに従って絞込区間を特定しても良い。例えば、特定された絞込区間は、[（Ｍ／Ｎ−ε），（Ｍ／Ｎ＋ε）]である。Ｎ＝１である時、Ｍ＝０又は１であり、特定される絞込区間は、[−ε，＋ε]と[（１−ε），（１＋ε）]との２つの区間を含んでも良いことは理解されるであろう。
【００８８】
その後、選択部５２０は、ＺＣ系列長と絞込区間とに従って、初期ルートセットにおけるルートを絞り込むことで、第１の絞込結果を取得しても良い。例えば、選択部５２０は、ＺＣ系列長と絞込区間とに従って初期ルートセットにおける、絞込区間に落ち入るルートを排除することで、第１の絞込結果を取得する。例えば、初期ルートセットにおけるルートｑｉについては、ＺＣ系列長に従って、対応する絞込パラメータｑｉ／ＮＺＣを計算し、その後、初期ルートセットにおける各ルートの絞込パラメータと絞込区間に従って初期ルートセットにおけるルートを絞り込んでも良い。例えば、特定された絞込区間が[−ε，＋ε]と[（１−ε），（１＋ε）]を含む場合、選択部５２０は、絞込パラメータｑｉ／ＮＺＣが絞込区間[−ε，＋ε]、[（１−ε），（１＋ε）]に落ち入るルートｑｉを排除し、残りのルートを第１の絞込結果としても良い。
【００８９】
本開示のもう１つの例示によれば、第１の絞込結果に含まれるルートの数が所定の数より大きい場合、選択部５２０は、更に、絞込回数及び絞込区間を更新し、且つ、ＺＣ系列長と、更新後の絞込区間とに従って第１の絞込結果を再び絞り込むことで、第２の絞込結果を取得しても良い。例えば、第１の絞込結果に含まれるルートの数が所定の数より大きい場合、選択部５２０は、更に、ＺＣ系列長と更新後の絞込区間とに従って第１の絞込結果における、更新後の絞込区間に落ち入るルートを削除することで、第２の絞込結果を取得しても良い。
【００９０】
本開示のもう１つの例示によれば、第２の絞込結果に含まれるルートの数が所定の数より大きい場合、選択部５２０は、更に、第１のテーブルに含まれるルートの数と一致する複数のルートを取得するまで、再絞込を繰り返しても良い。例えば、第２の絞込結果に含まれるルートの数が所定の数より大きい場合、選択部５２０は、更に、絞込回数及び絞込区間を更新する動作を繰り返しても良い。その後、第１のテーブルに含まれるルートの数と一致する複数のルートを取得するまで、ＺＣ系列長と最新的絞込区間とに従って、前回の絞込結果における、最新の絞込区間に落ち入るルートを繰り返して排除しても良い。
【００９１】
上記したように、第１のテーブルに含まれるルートは、ＺＣ系列長と、絞込回数によって特定された絞込区間とに従って、初期ルートセットから選択されたものであっても良い。本開示のもう１つの例示によれば、第１のテーブルに含まれるルートは、初期ルートセットにおける各ルートの電力パラメータに従って初期ルートセットから選択されたものであっても良い。電力パラメータは、例えば、ピーク対平均電力比（ＰＡＰＲ：Ｐｅａｋ  ｔｏ  Ａｖｅｒａｇｅ  Ｐｏｗｅｒ  Ｒａｔｉｏ）であっても良い。様々な方式を用いてＰＡＰＲを取得しても良い。例えば、キュービックメトリック（ＣＭ：Ｃｕｂｉｃ  Ｍｅｔｒｉｃ）でＰＡＰＲを表しても良い。
【００９２】
本開示の１つの例示によれば、第１のテーブルに含まれるルートは、通信システムの総帯域幅によって特定される複数のサブ帯域幅と、複数のサブ帯域幅について初期ルートセットにおける各ルートの最大ＰＡＰＲとに従って、初期ルートセットから選択されたものであっても良い。
【００９３】
例えば、選択部５２０は、通信システムの総帯域幅に従って複数のサブ帯域幅を特定しても良い。例えば、サブ帯域幅は、ユーザ端末のＳＲＳを伝送するための帯域幅であっても良い。例えば、通信システムの総帯域幅が２７２ＲＢである場合は、ユーザ端末のＳＲＳを伝送するための帯域幅は、４ＲＢ、８ＲＢ、１２ＲＢ、……、２７２ＲＢであっても良い。そうすると、複数のサブ帯域幅は、４ＲＢ、８ＲＢ、１２ＲＢ、……、２７２ＲＢの複数の帯域幅であっても良い。
【００９４】
本開示の１つの例示によれば、特定された複数のサブ帯域幅について、選択部５２０は、初期ルートセットにおける各ルートの最大ＣＭを計算しても良い。
【００９５】
例えば、初期ルートセットにおけるルートｑｉについて、選択部５２０は、上記式（３）に示すように、複数のサブ帯域幅に対応する複数のＣＭをそれぞれ計算して、その後、複数のＣＭから最大のＣＭを各ルートの最大ＣＭとして選択しても良い。
【００９６】
本開示の１つの例示によれば、選択部５２０は、初期ルートセットにおける最大ＣＭが閾値より小さいルートから、第１のテーブルに含まれるルートを選択しても良い。例えば、候補ルートの数に従って閾値を予め特定し、その後、計算された最大ＣＭが閾値より小さいルートを、第１のテーブルに含まれるルートとして保持しても良い。
【００９７】
代わりに、選択部５２０は、更に、初期ルートセットのうち候補ルートの数に対応する、最大ＣＭが最小となるルートから、第１のテーブルに含まれるルートを選択しても良い。例えば、計算された各ルートの最大ＣＭを小さい順に順位付け、その後、先頭のＫ個のルートを、第１のテーブルに含まれるルートとして保持しても良い。
【００９８】
ここまで、初期ルートセットから第１のテーブルに含まれるルートを選択する手順について説明した。なお、上記したように、第１のテーブルは、候補ルートの数以上の複数のルートを含んでも良い。
【００９９】
本開示の１つの例示によれば、第１のテーブルに含まれるルートの数が候補ルートの数に等しい場合、選択部５２０は、第１のテーブルから１つのルートを選択しても良い。
【０１００】
本開示のもう１つの例示によれば、第１のテーブルに含まれるルートの数が候補ルートの数より大きい場合、選択部５２０は、先ず、第１のテーブルに含まれるルートの数が候補ルートの数に等しくなるまで、第１のテーブルにおけるルートを削除し、その後、削除済みの第１のテーブルから１つのルートを選択しても良い。
【０１０１】
例えば、第１のテーブルにおけるルートは、複数の候補ルートペアを構成し、各候補ルートペアは、第１の候補ルートと第２の候補ルートとを含み、且つ、第１の候補ルートと第２の候補ルートとの和がＺＣ系列長に等しくなっても良い。例えば、第１の候補ルートはｑｉであり、第２の候補ルートは（ＮＺＣ−ｑｉ）であっても良い。初期ルートセットが［１，２，３，……，（ＮＺＣ−１）］である場合は、第１の候補ルートが１であり第２の候補ルートが（ＮＺＣ−１）であっても良く、又は、第１の候補ルートが２であり第２の候補ルートが（ＮＺＣ−２）であっても良いことは理解されるであろう。これを基にして類推することができる。
【０１０２】
その後、第１のテーブルに含まれるルートの数が候補ルートの数より大きい場合、選択部５２０は、第１のテーブルに含まれるルートの数が候補ルートの数に等しくなるまで、第１のテーブルにおける候補ルートペアを削除し、その後、削除済みの第１のテーブルからユーザ端末に用いられるルートを選択しても良い。例えば、第１のテーブルに含まれるルートの数が６６であるが、候補ルートの数Ｋ＝６０であれば、選択部５２０は、第１のテーブルにおける三つのペアの候補ルートペアを任意に削除することで、６０個の候補ルートを取得し、その後、この６０個の候補ルートからユーザ端末に用いられるルートを選択しても良い。なお、削除済みの第１のテーブルは、第２のテーブルとしてユーザ端末に記憶されても良い。
【０１０３】
本開示の１つの例示によれば、生成部５３０は、選択部５２０で選択されたルートに従って参照信号系列を生成しても良い。ルートから参照信号系列を生成する手順は、従来技術を採用して実現しても良い。例えば、生成部５３０は、先ず、選択部５２０で選択されたルートに従ってルート系列を生成し、その後、ルート系列に従って、ＳＲＳ系列などの参照信号系列を生成しても良い。
【０１０４】
本実施例の参照信号系列を生成する方法を実行するユーザ端末によれば、直接に大きな範囲の候補ルートからユーザ端末に用いられるルートを選択することではなく、比較的小さな範囲の候補ルートを特定してその中からユーザ端末に適用するルートを選択し、それで、ユーザ端末に用いられるルートを柔軟に特定することができる。
【０１０５】
以下、図６を参照しながら本開示の１つの実施例による図４に示す方法４００を実行する基地局６００について説明する。図６は、本開示の１つの実施例による図４に示す方法４００を実行する基地局６００の構成模式図を示す。基地局６００の機能は、上文において図４を参照しながら説明される方法と同様であるため、ここで、説明の便宜上、同じ内容について詳細な説明を省略する。
【０１０６】
図６に示すように、基地局６００は、ユーザ端末が候補ルートの数に従ってユーザ端末に用いられるルートを特定して前記ユーザ端末に用いられるルートに従って参照信号系列を生成するように、参照信号系列の設定情報をユーザ端末に送信するように配置される送信部６１０を備え、ここで、前記設定情報は、候補ルートの数に関する情報を含む。この部品以外、基地局６００は、他の部品を更に備えても良いが、これらの部品は、本発明の実施例と関係ないため、ここで、その図示及び説明を省略する。
【０１０７】
本開示の１つの例示によれば、設定情報は、候補ルートの数に関する情報の外に、参照信号系列を伝送するためのポート数、帯域幅、ホップ数、プリコーディング策略等を更に含んでも良い。
【０１０８】
本開示の１つの例示によれば、基地局６００は、ユーザ端末のスケジューリングされる帯域幅に従って候補ルートの数を特定するように配置される特定部６２０を更に備える。ユーザ端末のスケジューリングされる帯域幅は、例えば、ユーザ端末の参照信号（例えば、ＳＲＳ）を伝送するための帯域幅であっても良い。例えば、ユーザ端末のスケジューリングされる帯域幅が大きい場合は、特定部６２０がユーザ端末向けに大きな候補ルートの数を特定しても良い。ユーザ端末のスケジューリングされる帯域幅が小さい場合は、特定部６２０がユーザ端末向けに小さな候補ルートの数を特定しても良い。
【０１０９】
本実施例の参照信号系列を生成する方法を実行する基地局によれば、直接に大きな範囲の候補ルートからユーザ端末に用いられるルートを選択することではなく、比較的小さな範囲の候補ルートを特定してその中からユーザ端末に適用するルートを選択し、それで、ユーザ端末に用いられるルートを柔軟に特定することができる。
【０１１０】
＜ハードウェア構成＞
なお、上記実施の形態の説明に用いたブロック図には、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されても良いし、物理的及び／又は論理的に分離した２つ以上の装置を直接的及び／又は間接的に（例えば、有線及び／又は無線）で接続し、これら複数の装置により実現されても良い。
【０１１１】
例えば、本開示の１つの実施例のデバイス（無線基地局又はユーザ端末）は、本開示の無線通信方法の処理を行うコンピュータとして機能しても良い。図７は、本発明の実施例に係るデバイス７００（無線基地局又はユーザ端末）のハードウェア構成を示す模式図である。上記のデバイス７００（無線基地局又はユーザ端末）は、物理的には、プロセッサ７１０、メモリ７２０、ストレージ７３０、通信装置７４０、入力装置７５０、出力装置７６０、バス７７０などを含むコンピュータ装置として構成されても良い。
【０１１２】
なお、以下の説明では、「装置」という文言は、回路、デバイス、ユニットなどに読み替えることができる。ユーザ端末５００及び無線基地局６００のハードウェア構成は、図に示した各装置を１つ又は複数含むように構成されても良いし、一部の装置を含まずに構成されても良い。
【０１１３】
例えば、プロセッサ７１０は、一つしか図示されていないが、複数のプロセッサであっても良い。また、一つのプロセッサによって処理を実行しても良く、１つ以上のプロセッサによって処理を同時又は逐次に実行しても良く、又は、他の方法を採用して実行しても良い。なお、プロセッサ７１０は、１つ以上のチップで実装されても良い。
【０１１４】
デバイス６００における各機能は、プロセッサ７１０、メモリ７２０などのハードウェア上に所定のソフトウェア（プログラム）を読み込ませることで、プロセッサ７１０が演算を行い、通信装置７４０による通信や、メモリ７２０及びストレージ７３０におけるデータの読み出し及び／又は書き込みを制御することで実現される。
【０１１５】
プロセッサ７１０は、例えば、オペレーティングシステムを動作させてコンピュータ全体を制御する。プロセッサ７１０は、周辺装置とのインターフェース、制御装置、演算装置、レジスタなどを含む中央処理装置（ＣＰＵ：Ｃｅｎｔｒａｌ  Ｐｒｏｃｅｓｓｉｎｇ  Ｕｎｉｔ）で構成されても良い。例えば、上記の特定部や調整部などは、プロセッサ７１０で実現されても良い。
【０１１６】
また、プロセッサ７１０は、プログラム（プログラムコード）、ソフトウェアモジュールやデータを、ストレージ７３０及び／又は通信装置７４０からメモリ７２０に読み出し、これらに従って各種の処理を実行する。プログラムとしては、上記の実施の形態で説明した動作の少なくとも一部をコンピュータに実行させるプログラムが用いられる。例えば、ユーザ端末５００の特定部は、メモリ７２０に格納され、プロセッサ７１０で動作する制御プログラムによって実現されても良く、他の機能ブロックについても同様に実現されても良い。
【０１１７】
メモリ７２０は、コンピュータ読み取り可能な記録媒体であり、例えば、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、ＲＡＭ（Ｒａｎｄｏｍ  Ａｃｃｅｓｓ  Ｍｅｍｏｒｙ）などの少なくとも１つで構成されても良い。メモリ１００２は、レジスタ、キャッシュ、メインメモリ（主記憶装置）などと呼ばれても良い。メモリ１００２は、本発明の一実施形態に係る無線通信方法を実施するために実行可能なプログラム（プログラムコード）、ソフトウェアモジュールなどを保存することができる。
【０１１８】
ストレージ７３０は、コンピュータ読み取り可能な記録媒体であり、例えば、フレキシブルディスク、フロッピー（登録商標）ディスク、光磁気ディスク（例えば、読み取り専用光ディスク（ＣＤ−ＲＯＭ（Ｃｏｍｐａｃｔ  Ｄｉｓｃ  ＲＯＭ）など）、デジタル多用途ディスク、Ｂｌｕ−ｒａｙ（登録商標）ディスク）、リムーバブルディスク、ハードディスクドライブ、スマートカード、フラッシュメモリ（例えば、カード、スティック、キードライブ）、磁気ストリップ、データベース、サーバその他の適切な記憶媒体の少なくとも１つで構成されても良い。ストレージ７３０は、補助記憶装置と呼ばれても良い。
【０１１９】
通信装置７４０は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどとも呼ばれる。通信装置７４０は、例えば周波数分割複信（ＦＤＤ，Ｆｒｅｑｕｅｎｃｙ  Ｄｉｖｉｓｉｏｎ  Ｄｕｐｌｅｘ）及び／又は時間分割複信（ＴＤＤ，Ｔｉｍｅ  Ｄｉｖｉｓｉｏｎ  Ｄｕｐｌｅｘ）を実現するために、高周波スイッチ、デュプレクサ、フィルタ、周波数シンセサイザなどを備えても良い。例えば、上記の送信部、受信部などは、通信装置７４０で実現されても良い。
【０１２０】
入力装置７５０は、外部からの入力を受け付ける入力デバイス（例えば、キーボード、マウス、マイクロフォン、スイッチ、ボタン、センサなど）である。出力装置７６０は、外部への出力を実施する出力デバイス（例えば、ディスプレイ、スピーカー、ＬＥＤ（Ｌｉｇｈｔ  Ｅｍｉｔｔｉｎｇ  Ｄｉｏｄｅ）ランプなど）である。なお、入力装置７５０及び出力装置７６０は、一体となった構成（例えば、タッチパネル）であっても良い。
【０１２１】
また、プロセッサ７１０やメモリ７２０などの各装置は、情報を通信するためのバス７７０で接続される。バス７７０は、単一のバスで構成されても良いし、装置間で異なるバスで構成されても良い。
【０１２２】
また、無線基地局６００及びユーザ端末５００は、マイクロプロセッサ、デジタル信号プロセッサ（ＤＳＰ：Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ）などのハードウェアを含んで構成されても良く、当該ハードウェアにより、各機能ブロックの一部又は全てが実現されても良い。例えば、プロセッサ７１０は、これらのハードウェアの少なくとも１つで実装されても良い。
【０１２３】
（変更例）
なお、本明細書で説明した用語及び／又は本明細書の理解に必要な用語については、同一の又は類似する意味を有する用語と置き換えても良い。例えば、チャネル及び／又はシンボルは信号（シグナル）であっても良い。また、信号はメッセージであっても良い。参照信号は、ＲＳ（Ｒｅｆｅｒｅｎｃｅ  Ｓｉｇｎａｌ）と略称することもでき、適用される標準によってパイロット（Ｐｉｌｏｔ）と呼ばれても良い。また、コンポーネントキャリア（ＣＣ）は、セル、周波数キャリア、キャリア周波数などと呼ばれても良い。
【０１２４】
また、本明細書で説明した情報、パラメータなどは、絶対値で表しても良いし、所定の値からの相対値で表しても良いし、対応する別の情報で表しても良い。例えば、無線リソースはインデックスで指示されても良い。更に、これらのパラメータを使用する数式等は、本明細書で明示的に開示したものと異なる場合もある。
【０１２５】
本明細書において、パラメータなどに使用される名称はいかなる点においても限定的なものではない。例えば、様々なチャネル（例えば、物理上りリンク制御チャネル（ＰＵＣＣＨ，Ｐｈｙｓｉｃａｌ  Ｕｐｌｉｎｋ  Ｃｏｎｔｒｏｌ  Ｃｈａｎｎｅｌ）、物理下りリンク制御チャネル（ＰＤＣＣＨ，Ｐｈｙｓｉｃａｌ  Ｄｏｗｎｌｉｎｋ  Ｃｏｎｔｒｏｌ  Ｃｈａｎｎｅｌ）など）及び情報要素は、あらゆる好適な名称によって識別できるので、これらの様々なチャネル及び情報要素に割り当てられている様々な名称は、いかなる点においても限定的なものではない。
【０１２６】
本明細書で説明した情報、信号などは、様々な異なる技術のいずれかを使用して表されても良い。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表しても良い。
【０１２７】
また、情報、信号等は、上位レイヤから下位レイヤへ、及び／又は下位レイヤから上位レイヤへ出力され得る。情報、信号等は、複数のネットワークノードを介して入出力されても良い。
【０１２８】
入出力された情報等は特定の場所（例えば、メモリ）に保存されても良いし、管理テーブルで管理しても良い。入出力される情報等は、上書き、更新、又は追記され得る。出力された情報等は削除されても良い。入力された情報等は他の装置へ送信されても良い。
【０１２９】
情報の通知は、本明細書で説明した態様／実施形態に限られず、他の方法で行われても良い。例えば、情報の通知は、物理レイヤシグナリング（例えば、ＤＣＩ（Ｄｏｗｎｌｉｎｋ  Ｃｏｎｔｒｏｌ  Ｉｎｆｏｒｍａｔｉｏｎ）、ＵＣＩ（Ｕｐｌｉｎｋ  Ｃｏｎｔｒｏｌ  Ｉｎｆｏｒｍａｔｉｏｎ））、上位レイヤシグナリング（例えば、ＲＲＣ（Ｒａｄｉｏ  Ｒｅｓｏｕｒｃｅ  Ｃｏｎｔｒｏｌ）シグナリング、報知情報（ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）））、ＭＡＣ（Ｍｅｄｉｕｍ  Ａｃｃｅｓｓ  Ｃｏｎｔｒｏｌ）シグナリング、その他の信号又はこれらの組み合わせによって実施されても良い。
【０１３０】
また、物理レイヤシグナリングは、Ｌ１／Ｌ２（第１レイヤ／第２レイヤ）制御情報（Ｌ１／Ｌ２制御信号）と呼ばれても良い。また、ＲＲＣシグナリングは、ＲＲＣメッセージと呼ばれても良く、例えば、ＲＲＣ接続セットアップ（ＲＲＣ  Ｃｏｎｎｅｃｔｉｏｎ  Ｓｅｔｕｐ）メッセージ、ＲＲＣ接続再構成（ＲＲＣ  Ｃｏｎｎｅｃｔｉｏｎ  Ｒｅｃｏｎｆｉｇｕｒａｔｉｏｎ）メッセージなどであっても良い。また、ＭＡＣシグナリングは、例えば、ＭＡＣ制御要素（ＭＡＣ  ＣＥ（Ｃｏｎｔｒｏｌ  Ｅｌｅｍｅｎｔ））によって通知されても良い。
【０１３１】
また、所定の情報の通知（例えば、「Ｘであること」の通知）は、明示的に行うものに限られず、暗黙的に（例えば、当該所定の情報の通知を行わないこと、又は、他の情報によって通知されることによって）行われても良い。
【０１３２】
判定は、１ビットで表される値（０か１か）によって行われても良いし、真偽値（Ｂｏｏｌｅａｎ：ｔｒｕｅ又はｆａｌｓｅ）によって行われても良いし、数値の比較（例えば、所定の値との比較）によって行われても良い。
【０１３３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１３４】
また、ソフトウェア、命令、情報などは、伝送媒体を介して送受信されても良い。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１３５】
本明細書で使用する「システム」及び「ネットワーク」という用語は、互換的に使用される。
【０１３６】
「基地局（ＢＳ：Ｂａｓｅ  Ｓｔａｔｉｏｎ）」、「無線基地局」、「ｅＮＢ」、「ｇＮＢ」、「セル」、「セクタ」、「セルグループ」、「キャリア」、「コンポーネントキャリア」という用語は、本明細書では互換的に使用され得る。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）、フェムトセル、スモールセルなどの用語で呼ばれる場合もある。
【０１３７】
基地局は、１つ又は複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局、及び／又は基地局サブシステムのカバレッジエリアの一部又は全体を指す。
【０１３８】
「移動局（ＭＳ：Ｍｏｂｉｌｅ  Ｓｔａｔｉｏｎ）」、「ユーザ端末（ｕｓｅｒ  ｔｅｒｍｉｎａｌ）」、「ユーザ装置（ＵＥ：Ｕｓｅｒ  Ｅｑｕｉｐｍｅｎｔ）」、及び「端末」という用語は、本明細書では互換的に使用され得る。移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１３９】
また、本明細書における無線基地局は、ユーザ端末に置き換えることができる。例えば、無線基地局とユーザ端末との間の通信を、複数のユーザ端末の間（Ｄ２Ｄ，Ｄｅｖｉｃｅ−ｔｏ−Ｄｅｖｉｃｅ）の通信に読み替えた構成には、本開示の各形態／実施方式を適用しても良い。この場合、上記したデバイス６００における第１の通信デバイス又は第２の通信デバイスに備えられる機能をユーザ端末に備えられる機能と見なすことができる。また、「上り」と「下り」などの文言は、「サイド」に読み替えることができる。例えば、上りチャネルは、サイドチャネルに読み替えても良い。
【０１４０】
同様に、本明細書におけるユーザ端末は、無線基地局に読み替えることができる。この場合、上記したユーザ端末に備えられる機能を、第１の通信デバイス又は第２の通信デバイスに備えられる機能と見なすことができる。
【０１４１】
本明細書において基地局によって行われるとした特定動作は、場合によってはその上位ノード（ｕｐｐｅｒ  ｎｏｄｅ）によって行われることもある。基地局を有する１つ又は複数のネットワークノード（ｎｅｔｗｏｒｋ  ｎｏｄｅｓ）からなるネットワークにおいて、端末との通信のために行われる様々な動作は、基地局及び／又は基地局以外の他のネットワークノード（例えば、ＭＭＥ（Ｍｏｂｉｌｉｔｙ  Ｍａｎａｇｅｍｅｎｔ  Ｅｎｔｉｔｙ）又はＳ−ＧＷ（Ｓｅｒｖｉｎｇ−Ｇａｔｅｗａｙ）などが考えられるが、これらに限られない）、又は、これらの組み合わせによって行われ得ることは明らかである。
【０１４２】
本明細書で説明した各態様／実施形態は単独で用いても良いし、組み合わせて用いても良いし、実行に伴って切り替えて用いても良い。本明細書で説明した各態様／実施形態の処理手順、シーケンス、フローチャートなどは、矛盾の無い限り、順序を入れ替えても良い。例えば、本明細書で説明した方法については、例示的な順序で様々なステップの要素を提示しており、提示した特定の順序に限定されない。
【０１４３】
本明細書で説明した各態様／実施形態は、ＬＴＥ（Ｌｏｎｇ  Ｔｅｒｍ  Ｅｖｏｌｕｔｉｏｎ）、ＬＴＥ−Ａ（ＬＴＥ−Ａｄｖａｎｃｅｄ）、ＬＴＥ−Ｂ（ＬＴＥ−Ｂｅｙｏｎｄ）、ＳＵＰＥＲ  ３Ｇ、ＩＭＴ−Ａｄｖａｎｃｅｄ、４Ｇ（４ｔｈ  ｇｅｎｅｒａｔｉｏｎ  ｍｏｂｉｌｅ  ｃｏｍｍｕｎｉｃａｔｉｏｎ  ｓｙｓｔｅｍ）、５Ｇ（５ｔｈ  ｇｅｎｅｒａｔｉｏｎ  ｍｏｂｉｌｅ  ｃｏｍｍｕｎｉｃａｔｉｏｎ  ｓｙｓｔｅｍ）、ＦＲＡ（Ｆｕｔｕｒｅ  Ｒａｄｉｏ  Ａｃｃｅｓｓ）、Ｎｅｗ−ＲＡＴ（Ｒａｄｉｏ  Ａｃｃｅｓｓ  Ｔｅｃｈｎｏｌｏｇｙ）、ＮＲ（Ｎｅｗ  Ｒａｄｉｏ）、ＮＸ（Ｎｅｗ  ｒａｄｉｏ  ａｃｃｅｓｓ）、ＦＸ（Ｆｕｔｕｒｅ  ｇｅｎｅｒａｔｉｏｎ  ｒａｄｉｏ  ａｃｃｅｓｓ）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、ＣＤＭＡ２０００、ＵＭＢ（Ｕｌｔｒａ  Ｍｏｂｉｌｅ  Ｂｒｏａｄｂａｎｄ）、ＩＥＥＥ  ７０２．１１（Ｗｉ−Ｆｉ）、ＩＥＥＥ  ７０２．１６（ＷｉＭＡＸ）、ＩＥＥＥ  ７０２．２０、ＵＷＢ（Ｕｌｔｒａ−ＷｉｄｅＢａｎｄ）、Ｂｌｕｅｔｏｏｔｈ（登録商標）、その他の適切なシステムを利用するシステム及び／又はこれらに基づいて拡張された次世代システムに適用されても良い。
【０１４４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４５】
本明細書で使用する「第１の」、「第２の」などの呼称を使用した要素へのいかなる参照も、それらの要素の数量又は順序を全般的に限定するものではない。これらの呼称は、２つ以上の要素間を区別する便利な方法として本明細書で使用され得る。従って、第１及び第２の要素への参照は、２つの要素のみがそこで採用され得ること、又は何らかの形で第１の要素が第２の要素に先行しなければならないことを意味しない。
【０１４６】
本明細書で使用する「判断（特定）（ｄｅｔｅｒｍｉｎｉｎｇ）」という用語は、多種多様な動作を包含する場合がある。「判断（特定）」は、例えば、計算（ｃａｌｃｕｌａｔｉｎｇ）、算出（ｃｏｍｐｕｔｉｎｇ）、処理（ｐｒｏｃｅｓｓｉｎｇ）、導出（ｄｅｒｉｖｉｎｇ）、調査（ｉｎｖｅｓｔｉｇａｔｉｎｇ）、探索（ｌｏｏｋｉｎｇ  ｕｐ）（例えば、テーブル、データベース又は別のデータ構造での探索）、確認（ａｓｃｅｒｔａｉｎｉｎｇ）した事を「判断（特定）」したとみなす事などを含み得る。また、「判断（特定）」は、受信（ｒｅｃｅｉｖｉｎｇ）（例えば、情報を受信すること）、送信（ｔｒａｎｓｍｉｔｔｉｎｇ）（例えば、情報を送信すること）、入力（ｉｎｐｕｔ）、出力（ｏｕｔｐｕｔ）、アクセス（ａｃｃｅｓｓｉｎｇ）（例えば、メモリ中のデータにアクセスすること）した事を「判断（特定）」したとみなす事などを含み得る。また、「判断（特定）」は、解決（ｒｅｓｏｌｖｉｎｇ）、選択（ｓｅｌｅｃｔｉｎｇ）、選定（ｃｈｏｏｓｉｎｇ）、確立（ｅｓｔａｂｌｉｓｈｉｎｇ）、比較（ｃｏｍｐａｒｉｎｇ）などした事を「判断」「特定」したとみなす事を含み得る。つまり、「判断」「特定」は、何らかの動作を「判断」「特定」したとみなす事を含み得る。
【０１４７】
「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであっても良い。本明細書で使用する場合、２つの要素は、１又はそれ以上の電線、ケーブル及び／又はプリント電気接続を使用することにより、並びにいくつかの非限定的かつ非包括的な例えば、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０１４８】
「含む（ｉｎｃｌｕｄｉｎｇ）」、「含んでいる（ｃｏｍｐｒｉｓｉｎｇ）」、及びそれらの変形が、本明細書あるいは特許請求の範囲で使用されている限り、これら用語は、用語「備える」と同様に、包括的であることが意図される。更に、本明細書あるいは特許請求の範囲において使用されている用語「又は（ｏｒ）」は、排他的論理和ではないことが意図される。
【０１４９】
以上、本発明について詳細に説明したが、当業者にとっては、本発明が本明細書中に説明した実施形態に限定されるものではないことは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2019129534.tif 000017
【図２】
2019129534.tif 000018
【図３】
2019129534.tif 000019
【図４】
2019129534.tif 000020
【図５】
2019129534.tif 000021
【図６】
2019129534.tif 000022
【図７】
2019129534.tif 000023